(57)【要約】【課題】  不正な着脱を一見して確認できるとともに、メモリーカートリッジを容易に着脱でき、基板ケース内にコンパクトに収納できるメモリーカートリッジの装着装置を提供する。【解決手段】  制御基板(100)に固着され挿入溝(13)を有する支持固定部材(12)は、基板接続部(120)を挟んで前記挿入溝(13)が相対向するように前記制御基板(100)の板面と直交する方向に突設され、メモリーカートリッジ(10)に固定される被覆部材(14)は、前記メモリーカートリッジ(10)の接続部が設けられる辺を挟む両側辺の側端部の一部、及び／又は前記接続部が設けられる辺と反対側の一辺の側端部を被覆可能であるとともに、メモリーカートリッジ(10)の装着状態において、前記支持固定部材(12)と近接又は当接するように形成され、前記支持固定部材(12)と前記被覆部材(14)の境目には、封印シール(16)が貼り付けてある。【選択図】    図２
2006187480.tif 000002
【特許請求の範囲】
【請求項１】
情報記録媒体を備えた略矩形状の基板の一辺端部に、遊技機の制御基板に設けられた基板接続部と電気的な接続をする接続部を有するメモリーカートリッジを、前記制御基板に装着するためのメモリーカートリッジの装着装置であって、
前記制御基板の板面に固着される一対の支持固定部材と、メモリーカートリッジに固定される被覆部材を有し、
前記支持固定部材は、前記メモリーカートリッジの接続部が設けられる辺を挟む両側辺の側端部を挿入可能な挿入溝を有し、前記基板接続部を挟んで前記挿入溝が相対向するように前記制御基板の板面と直交する方向に突設され、突出方向の先端側から前記挿入溝に前記メモリーカートリッジを挿入することにより、前記接続部が前記基板接続部と接続するよう前記メモリーカートリッジを案内するとともに、前記メモリーカートリッジの側端部の少なくとも接続部側を支持可能に形成され、
前記被覆部材は、前記メモリーカートリッジの接続部が設けられる辺を挟む両側辺の側端部の一部、及び／又は前記接続部が設けられる辺と反対側の一辺の側端部を被覆可能であるとともに、前記メモリーカートリッジが前記挿入溝に挿入され、かつメモリーカートリッジの接続部と前記基板接続部とが接続された装着状態において、前記支持固定部材と近接又は当接するように形成され、
前記メモリーカートリッジの装着状態において、前記支持固定部材と前記被覆部材の境目に、封印シールを貼り付けたことを特徴とする遊技機用メモリカートリッジの装着装置。
【請求項２】
前記被覆部材は、前記メモリーカートリッジの接続部が設けられる辺を挟む両側辺の側端部、及び／又は前記接続部が設けられる辺と反対側の一辺の側端部に予め固着されていることを特徴とする請求項１記載の遊技機用メモリカートリッジの装着装置。
【発明の詳細な説明】
【技術分野】
【０００１】
この発明は、遊技機に使用されるメモリカートリッジの装着装置に関するものである。
【背景技術】
【０００２】
従来より、スロットマシン等の遊技機は、遊技や遊技に付随する演出を制御するための制御装置を備えている。この制御装置は、ＣＰＵ、ＲＯＭ、ＲＡＭ、ＩＣメモリ等の電子部品を搭載した制御基板により構成されている。そして、近年の遊技機は、液晶表示装置等を用いて画像表示を行う演出が行われることも多く、特に演出データの格納用に大容量のメモリが必要となっている。そこで、制御基板に実装するメモリ数を少なくして基板の製造にかかる手間及びコストを削減すべく、フラッシュメモリを搭載したメモリーカートリッジを、コネクタを介して基板に取り付けることが行われている。
一方、制御基板に対する不正を防止するため、制御基板を収納する基板ケースに様々な改良を加えることは、例えば特許文献１に示すように広く行われているが、前記したメモリーカートリッジに関しては、外観上一見して不正が判明できるような対策が取られていなかった。
【特許文献１】特開２００４−６５７９２号公報
【発明の開示】
【発明が解決しようとする課題】
【０００３】
ここで、メモリーカートリッジを全体又は一部が透明なケースに収納し、このケースに封印を施すことにより不正着脱を確認可能にすることが考えられるが、基板ケース内部のスペースは限られているので、メモリーカートリッジの装着により基板ケース内部の空間が狭まるのは好ましくない。
そこで、請求項１記載の発明は、不正な着脱を一見して確認できるとともに、メモリーカートリッジを容易に着脱でき、基板ケース内にコンパクトに収納できるメモリーカートリッジの装着装置を提供することを目的とする。
また、請求項２記載の発明は、装着がより容易で、かつメモリーカートリッジの補強にも役立つメモリーカートリッジの装着装置を提供することを目的とする。
【課題を解決するための手段】
【０００４】
本願発明の特徴点を、図面に示した発明の実施の形態を用いて、以下に説明する。
なお、括弧内の符号は、発明の実施の形態において用いた符号を示し、本願発明の技術的範囲を限定するものではない。
（特徴点）
（請求項１）
請求項１記載の発明は、次の点を特徴とする。
すなわち、請求項１記載の発明は、情報記録媒体（フラッシュメモリ10B）を備えた略矩形状の基板（メモリーボード10A）の一辺端部に、遊技機の制御基板(100)に設けられた基板接続部（基板コネクタ120）と電気的な接続をする接続部（カートリッジコネクタ11）を有するメモリーカートリッジ(10)を、前記制御基板(100)に装着するためのメモリーカートリッジの装着装置であって、前記制御基板(100)の板面に固着される一対の支持固定部材(12)と、メモリーカートリッジ(10)に固定される被覆部材(14)を有している。
【０００５】
ここで、制御基板(100)は、板面にＣＰＵ、ＲＯＭ、ＲＡＭ、ＩＣメモリ等の電子部品を備えた配線基板であり、遊技に関する制御を行うためのものである。またメモリーカートリッジ(10)は、板状のメモリーボード(10A)にフラッシュメモリ(10B)などの情報記録媒体を実装したものであり、接続部(11)と基板接続部(120)とを接続することにより新たなデータを制御基板(100)に読み込ませたり、制御基板(100)のメモリ容量を増加させることができる着脱式のメモリである。なお、接続部(11)は、メモリーカートリッジ(10)の「略矩形状の基板(10A)の一辺端部」、すなわち、方形板状の基板(10A)の表裏面を囲む辺（側辺、上辺、底辺）のうちのいずれか一つの辺の端部に設けられている。
【０００６】
そして、本発明では、前記支持固定部材(12)は、前記メモリーカートリッジ(10)の接続部(11)が設けられる辺を挟む両側辺の側端部を挿入可能な挿入溝(13)を有し、前記基板接続部(120)を挟んで前記挿入溝(13)が相対向するように前記制御基板(100)の板面と直交する方向に突設され、突出方向の先端側から前記挿入溝(13)に前記メモリーカートリッジ(10)を挿入することにより、前記接続部(11)が前記基板接続部(120)と接続するよう前記メモリーカートリッジ(10)を案内するとともに、前記メモリーカートリッジ(10)の側端部の少なくとも接続部側を支持可能に形成されている。また、前記被覆部材(14)は、前記メモリーカートリッジ(10)の接続部(11)が設けられる辺を挟む両側辺の側端部の一部、及び／又は前記接続部(11)が設けられる辺と反対側の一辺の側端部を被覆可能であるとともに、前記メモリーカートリッジ(10)が前記挿入溝(13)に挿入され、かつメモリーカートリッジ(10)の接続部(11)と前記基板接続部(120)とが接続された装着状態において、前記支持固定部材(12)と近接又は当接するように形成されている。さらに、前記メモリーカートリッジ(10)の装着状態において、前記支持固定部材(12)と前記被覆部材(14)の境目に、封印シール(16)を貼り付けたことを特徴とする。
【０００７】
ここで、メモリーカートリッジ(10)の「側端部」とは、メモリーカートリッジ(10)の表裏面以外の面（側面、上面、底面）と、当該面と隣接する面の一部を含む部分のことである。
またここで、「側端部の少なくとも接続部側を支持可能」とは、メモリーカートリッジ(10)の相対向する二つの側端部（例えば左右の側端部）のうち、接続部(11)が設けられている側を含む一部又は全部のことである。
そして、「接続部(11)が設けられる辺を挟む両側辺の側端部」とは、接続部(11)が設けられる辺を底辺とした場合の左右の辺の側端部である。また、「接続部(11)が設けられる辺と反対側の一辺の側端部」とは、接続部(11)が設けられる辺を底辺とした場合の上辺の側端部である。
【０００８】
従って、被覆部材(14)が「前記メモリーカートリッジ(10)の接続部(11)が設けられる辺を挟む両側辺の側端部の一部、及び／又は前記メモリーカートリッジ(10)の接続部(11)が設けられる辺と反対側の一辺の側端部を被覆」とは、支持固定部材(12)がメモリーカートリッジ(10)の左右の側端部の全長を支持可能に形成されている場合には、被覆部材(14)はメモリーカートリッジ(10)の接続部(11)と反対側の側端部を被覆できればよく、支持固定部材(12)がメモリーカートリッジ(10)の左右の側端部の例えば半分程度の長さを支持可能に形成されている場合には、被覆部材(14)を外観門型（コ字型）に形成して、メモリーカートリッジ(10)の左右の側端部及びメモリーカートリッジ(10)の接続部(11)と反対側の側端部を被覆するように形成すればよい。そして、メモリーカートリッジ(10)は、装着状態において、支持固定部材(12)及び被覆部材(14)によって、接続部(11)の設けられている辺以外の全ての側辺外周がほぼ覆われるようになるものである。
【０００９】
なお、被覆部材(14)は、メモリーカートリッジ(10)に予め固定されていてもよいし、メモリーカートリッジ(10)の装着時に固定するようにしてもよい。また、支持固定部材(12)を「固着する」とは、例えばカシメや溶着などにより、破壊しない限り取り外せないように固定することである。装着作業の容易性に鑑み、被覆部材(14)は、メモリーカートリッジ(10)に予め固定しておくのが好ましい。
前記封印シール(16)は、プラスチックフィルムでも紙でもよく、一度貼り付けると剥がすときに痕跡が残るように形成されているものが好ましい。また、支持固定部材(12)と被覆部材(14)の「境目」とは、メモリーカートリッジ(10)の側端部外周を覆う支持固定部材(12)と被覆部材(14)の端部が近接又は当接する境界部分のことであり、必ずしも両者が接触していなくともよく、「当接」には、支持固定部材(12)と被覆部材(14)が端部をつき合わせて接触していることのほか、いずれか一方が他方の上側又は下側に重なることも含まれる。
【００１０】
（作用）
本発明において、制御基板(100)にメモリーカートリッジ(10)を装着する場合には、予め所定の被覆部材(14)を固着したメモリーカートリッジ(10)を、接続部(11)側から支持固定部材(12)の挿入溝(13)に挿入し、挿入溝(13)内をスライドさせる。メモリーカートリッジ(10)は、支持固定部材(12)にガイドされつつ基板接続部(120)に誘導され、そのまま押入することにより接続部(11)と基板接続部(120)とが接続される。この状態で、支持固定部材(12)から露出しているメモリーカートリッジ(10)の側端部は被覆部材(14)で覆われることとなる。なお、メモリーカートリッジ(10)を装着した後に被覆部材(14)を固着してもよい。最後に、支持固定部材(12)と被覆部材(14)の境目の部分に、封印シール(16)を貼り付ける。
【００１１】
以上のようにして装着したメモリーカートリッジ(10)を取り外す場合には、封印シール(16)を剥がして被覆部材(14)を取り外しメモリーカートリッジ(10)を引き抜くか、メモリーカートリッジ(10)を被覆部材(14)とともに引き抜くか、支持固定部材(12)の固着部を破壊してメモリーカートリッジ装着装置(110)をまるごと制御基板(100)から取り外すこととなるが、いずれも取り外した痕跡が残るので、不正に着脱を行った場合には一見して確認することができる。
（請求項２）
請求項２記載の発明は、上記した請求項１記載の発明の特徴点に加え、次の点を特徴とする。
【００１２】
すなわち、請求項２記載の発明は、前記被覆部材(14)は、前記メモリーカートリッジ(10)の接続部(11)が設けられる辺を挟む両側辺の側端部、及び／又は前記接続部(11)が設けられる辺と反対側の一辺の側端部に、予め固着されていることを特徴とする。
本発明によれば、メモリーカートリッジ(10)の装着の際に被覆部材(14)を取り付けなくともよいので、作業が簡単に行える。また、被覆部材(14)がメモリーカートリッジ(10)に固着されているので、取り扱いの際、メモリーカートリッジ(10)の角部が傷つくのを防ぐことができる。
【発明の効果】
【００１３】
請求項１記載の発明によれば、不正な着脱を一見して確認できるとともに、メモリーカートリッジを容易に着脱でき、基板ケース内にコンパクトに収納できるメモリーカートリッジの装着装置を提供することができる。
また、請求項２記載の発明によれば、上記した請求項１記載の発明の効果に加え、より装着が容易で、かつメモリーカートリッジの補強にも役立つメモリーカートリッジの装着装置を提供することができる。
【発明を実施するための最良の形態】
【００１４】
本発明の好適な実施の形態を、遊技機としてスロットマシンを例に、図面に基づき説明する。
（図面の説明）
図１乃至図８は、本発明の実施の形態を示すものである。
図１は前扉を外したスロットマシンＳの斜視図、図２及び図３は制御基板の斜視図、図４及び図５はメモリーカートリッジ装着装置の分解斜視図、図６乃至図８はメモリーカートリッジ装着装置の他の実施の形態を示す斜視図である。
（スロットマシンＳ）
本実施の形態におけるスロットマシンＳは、図１に示すように、大きく分けて、正面側に開口する筐体１、筐体１内部に設けられるリールユニット２、筐体１の開口を開閉可能に塞ぐ前扉３とから構成されており、さらにこの前扉３は、筐体１の開口上部を開閉可能に塞ぐ上扉30、筐体１の開口下部を開閉可能に塞ぐ上扉30とから構成されている。
【００１５】
筐体１は、底板及び側板及び天板及び裏板からなる正面側に開口する箱であり、高さ方向略中央部には、二つの側板の間に水平方向に中板が設けられている。この中板の下面には、電源ユニット４が固定されているとともに、底板にはホッパーユニット５が載置されている。また、中板の上面には、リールユニット２が載置固定されているとともに、中板の上部には、スロットマシンＳの作動を制御するための制御装置６が収納されている。そして、正面左側の側板には、前扉３を係合させ、回転自在に支持するためのヒンジが、上下方向に間隔をおいて二つずつ設けられて設けられている。
ここで、制御装置６は、ＣＰＵを中心に構成され、ＲＯＭ、ＲＡＭ、Ｉ／Ｏ等を備えた制御基板100を基板ケース200に収納したものであり、スロットマシンＳの遊技及び演出の制御を行うものである。基板ケース200は、透明のプラスチックケースであり、内部の制御基板100をスロットマシンＳの正面側から視認可能な筐体内の位置に固定されている。また制御基板100には、図２及び図３に示すように、種々の電子部品がハンダ付け等により固定されているとともに、所定のメモリを追加するためのメモリーカートリッジ10が、メモリーカートリッジ装着装置110を介して取り付けられている。なお、メモリーカートリッジ装着装置110の詳細については後述する。
【００１６】
リールユニット２は、図１に示すように、モータに軸着された３個の回転リール20を有しており、筐体１の中板の上に乗せ、開口上部13内部に収納固定されるものである。
上扉30は、筐体１の側板に回転自在かつロック可能に形成されている板状の扉であり、略中央部に回転リール20の図柄を正面側から見ることができる図柄表示窓31を有し、図柄表示窓31の周囲には、飾り部33が形成されている。飾り部33は、ランプなどの電飾としてもよい。そして、図柄表示窓31の下方には、７セグメント表示器や液晶表示装置を用いて、遊技に関する数字その他を表示するための表示部32が設けられている。なお、特に図示しないが、上扉30の裏面には、筐体１のヒンジに係合可能な上扉係合部が上下方向に間隔をおいて二つ設けられており、上扉係合部の対向側には、ロック機構が設けられている。そして、上扉30を閉めロックすることにより、筐体１の開口上部を密閉することができるものである。
【００１７】
下扉40は、筐体１の開口下部を塞ぐための、上扉30よりも幅厚の扉であり、筐体１の側板に回転自在かつロック可能に形成されているものである。下扉40の上部は、スロットマシンを作動させるための操作部41となっており、下扉40の上面は、閉扉時においては、上扉30よりも前側に突出するようになっている。ここで、前記操作部41としては、図１に示すように、遊技メダルを投入するためのメダル投入口42、貯留メダル数を減じてメダル投入に代えるためのベットスイッチ、貯留した投入メダルを払い出すための精算スイッチ、回転リール20の回転を開始させるためのスタートスイッチ、回転リール20の回転を停止させるためのストップスイッチが設けられている。また、下扉40の下部には払い出されたメダルを溜めておくためのメダル受け皿43が形成されている。下扉40の上部右端には、鍵穴44が設けられており、この穴に所定の鍵を差し込んで回すと、下扉40のロックが解除されるものである。そして、下扉40が解錠されることにより、上扉30も解放可能に形成されている。
【００１８】
さらに、特に図示しないが、下扉40の裏面側には、前記メダル投入口42から投入されたメダルを誘導しながらメダルの正偽を判断するためのメダルセレクターが設けられている。そして、特に図示しないが、下扉40の裏面には、筐体１のヒンジと係合可能な下扉係合部が上下方向に間隔をおいて二つ設けられており、下扉係合部の対向側には、ロック機構が設けられている。
スロットマシンＳは、メダル投入口42からメダルを投入することにより遊技が開始可能となり、スタートスイッチの押下により３個の回転リール20が一斉に回転開始する。また、制御装置６ではスタートスイッチの操作を契機に当選判定の抽選が行われ、当選の有無が決定される。回転リール20の回転中に、各回転リール20に一個ずつ対応して設けられたストップスイッチを押圧すると、対応する回転リール20の回転が停止する。この際、制御装置６により、回転リール20の停止制御が行われる。
【００１９】
そして、全ての回転リール20が停止したときに、当選に係る図柄が所定の入賞ライン上に揃って停止したときには入賞となり、ホッパーユニット５からメダルが払い出されたり、ボーナスゲームなどの有利遊技への移行が行われるように形成されている。
（メモリーカートリッジ装着装置110）
次に、メモリーカートリッジ装着装置110について説明する。
メモリーカートリッジ装着装置110は、図２に示すように、メモリーカートリッジ10の端部外周を覆う被覆部材14と、メモリーカートリッジ10を制御基板100に固定するための固定支持部材12とから構成されている。
【００２０】
（メモリーカートリッジ10）
ここで、メモリーカートリッジ10は、メモリーボード10Aにフラッシュメモリ10Bを搭載した方形薄板状の部品であって、図４に示すように、メモリーボード10Aの一方の端部側にカートリッジコネクタ11が固定され、カートリッジコネクタ11の対向側の端部付近には、被覆部材14を固定するための孔19が形成されている。そして、カートリッジコネクタ11と、制御基板100に設けられている基板コネクタ120を接続することにより、制御基板100に搭載されているＣＰＵにフラッシュメモリ10Bのデータを出力可能となる。
（被覆部材14）
前記被覆部材14は、図２に示すように、メモリーボード10Aの端部外周を覆う門型のカバーであり、図４に示すように、縦二つに分割された被覆片141と被覆片142から構成されている。被覆片141及び被覆片142は、断面略Ｌ字型であり、両者を相対向させたときに形成される凹部によりメモリーボード10Aを挟持可能となっている。
【００２１】
また、一方の被覆片141にはカシメ部15が突設されており、他方の被覆片142には、被覆片141と相対向させたときに前記カシメ部15と対応する位置に孔18が設けられている。カシメ部15は、特に図示しないが、先端部が弾力性を有する断面矢印形に形成されている。また孔18は、カシメ部15の最大径よりも小径に形成されている。そして、カシメ部15の尖端（矢印の先の部分）を孔18に挿入して押入すると、尖端から徐々に径が大きくなるよう形成された部分が孔中心方向に撓んで孔18を貫通する。カシメ部15の全体が孔18を貫通すると、撓んでいた部分が元に戻り孔18よりも大径になるので、カシメ部15を切断又は破壊しない限り、孔18から引き抜くことができない。このように、カシメ部15をメモリーボード10Aに設けられた孔19を通して孔18に貫通させることにより、被覆部材14にメモリーカートリッジ10を嵌め殺し状態で固定することができるものである。
【００２２】
（固定支持部材12）
前記固定支持部材12は、制御基板100の基板コネクタ120の両端側に、基板面の直交方向に突出するように固定された断面略コ字型の柱状の支持部材であり、図４に示すように、二つの固定支持部材12の挿入溝13を相対向して設置することにより、メモリーカートリッジ10を差し込み可能となっている。また、固定支持部材12には、メモリーカートリッジ10の差し込み側（挿入溝13側）と反対側の端部に、前記カシメ部15と同様のカシメ部17が設けられていて、このカシメ部17を、制御基板100に設けられた穴101に貫通させることにより、制御基板100に固着されているものである。
【００２３】
（メモリーカートリッジ10の装着）
次に、メモリーカートリッジ10を制御基板100に取り付ける場合には、まず、図５に示すように、メモリーボード10Aに被覆部材14を固着し、それからメモリーボード10Aの反固着側端部を固定支持部材12の挿入溝13に嵌め込んでスライドさせ、カートリッジコネクタ11を基板コネクタ120に接続する。このとき、被覆部材14の下端部と、固定支持部材12の上端部の間には、わずかな隙間が生じるようになっている。すなわち、カートリッジコネクタ11と基板コネクタ120の結合が、被覆部材14と固定支持部材12の当接により妨げられることがないように形成されているものである。
【００２４】
以上のようにしてメモリーカートリッジ10を固定した後、図２に示すように、被覆部材14と固定支持部材12の境目に、封印シール16を貼り付ける。この封印シール16は、一度剥離すると復元できないように形成されており、メモリーカートリッジ10を取り外す場合には、封印シール16を切断するか剥がさないとならないので、不正にメモリーカートリッジ10を着脱した場合にはその痕跡が残る。封印シール16は、図示したように、境目の片側のみに貼り付けるのでもよいし、両方の境目に貼り付けてもよい。
このように、本実施の形態によれば、柱状の固定支持部材12の挿入溝13に、門型の被覆部材14を固着したメモリーカートリッジ10を差し込むことにより、メモリーカートリッジ10を制御基板100に取り付けるようになっているので、固定支持部材12がガイドの役割を果たして容易かつ確実にメモリーカートリッジ10を取り付けることができる。また、取り付けた際、固定支持部材12及び被覆部材14はメモリーボード10Aの外周を覆い、メモリーカートリッジ10の補強にも役立つものである。そして、固定支持部材12及び被覆部材14の境目に封印シール16を貼り付けて不正着脱を確認できるようにしたので、メーカー側に不正のないこともアピールできる。また封印に関しては、メモリーカートリッジ10の全体をケースで覆ってこれに封印をするのに比べると、基板ケース200内のスペースを確保でき、形成コストも安価にすませることができる。
【００２５】
さらに、遊技内容はそのままにして、音声や画像による演出のみが異なるようにマイナーチェンジを行う場合にも、制御基板100を取り換えずにメモリーカートリッジ10のみを交換すればよい。この際、封印シール16の貼り付け場所を変える（例えば、最初の取り付け時には一方の端部に貼り、新しいメモリーカートリッジ10に取り換えた場合には他方の端部に貼る）ことにより、固定支持部材12はそのまま残しておくことができるので、より経済的である。
（メモリーカートリッジ装着装置110の他の形態）
ところで、前記被覆部材14は、図７に示すように、メモリーボード10Aの一端部を覆うように形成してもよい。すなわち、被覆部材14は、図６に示すように、長さ方向に二本の折り目14a,14bを形成した長方形の板部材であり、四隅にはカシメ部15と孔18が設けられている。この被覆部材14をメモリーボード10Aに取り付ける場合には、まずカシメ部15をメモリーボード10の孔19に貫通させ、一本目の折り目14aに沿って折り曲げる。そして、孔19から突出しているカシメ部15を孔18に貫通させるように二本目の折り目14bに沿って折り曲げることにより、メモリーボード10Aの反コネクタ側端部を被覆するようにして固着できるものである。
【００２６】
またこの場合、固定支持部材12は、図７に示すように、被覆部材14を固着したメモリーカートリッジ10を最奥まで差し込んだときに、被覆部材14の下端部と固定支持部材12の上端部のと間に僅かな隙間が生じる程度の長さに形成する。そして、固定支持部材12と被覆部材14の境目に跨るように、封印シール16を貼り付ければよい。
あるいは、図８に示すように、被覆部材14を固着したメモリーカートリッジ10を支持固定部材12の挿入溝13の最奥まで差し込んだときに、固定支持部材12の先端部が被覆部材14とほぼ面一になるように形成してもよい。すなわち、挿入溝13は、メモリーボード10Aに被覆部材14を固定した場合のメモリーカートリッジ10の反コネクタ側端部を挟持可能な溝幅に形成されているものである。そして、前記したのと同様に、固定支持部材12と被覆部材14の境目に跨るように、封印シール16を貼り付ければよい。
【００２７】
なお、本実施の形態においては、メモリーカートリッジ10に予め被覆部材14を固着しておくようにしたが、メモリーカートリッジ10を固定支持部材12に取り付けてから被覆部材14を固着し、封印シール16を貼り付けるようにしてもよい。
また、本発明は、制御基板を備える遊技機であれば、スロットマシン以外の遊技機にも利用することができるのは言うまでもない。
【図面の簡単な説明】
【００２８】
【図１】本発明の実施の形態であって、前扉をはずしたスロットマシンの斜視図である。
【図２】本発明の実施の形態であって、制御基板の斜視図である。
【図３】本発明の実施の形態であって、制御基板の斜視図である。
【図４】本発明の実施の形態であって、メモリーカートリッジ装着装置の分解斜視図である。
【図５】本発明の実施の形態であって、メモリーカートリッジの取り付け図である。
【図６】本発明の他の実施の形態であって、メモリーカートリッジ装着装置の分解斜視図である。
【図７】本発明の他の実施の形態であって、メモリーカートリッジ装着装置の斜視図である。
【図８】本発明の他の実施の形態であって、メモリーカートリッジ装着装置の斜視図である。
【符号の説明】
【００２９】
Ｓ  スロットマシン                  １  筐体
２  リールユニット                  ３  前扉
４  電源ユニット                    ５  ホッパーユニット
６  制御装置
10  メモリーカートリッジ            10A メモリーボード
10B フラッシュメモリ                11  カートリッジコネクタ
12  固定支持部材                    13  挿入溝
14  被覆部材
14A 被覆片                          14B 被覆片
15  カシメ部                        16  封印シール
17  カシメ部                        18  孔
19  孔                              20  回転リール
30  上扉                            31  図柄表示窓
32  表示部                          33  飾り部
40  下扉                            41  操作部
42  メダル投入口                    43  メダル受け皿
44  鍵穴
100  制御基板                       101  孔
110  メモリーカートリッジ装着装置
120  基板コネクタ                   200  基板ケース
【図１】
2006187480.tif 000003
【図２】
2006187480.tif 000004
【図３】
2006187480.tif 000005
【図４】
2006187480.tif 000006
【図５】
2006187480.tif 000007
【図６】
2006187480.tif 000008
【図７】
2006187480.tif 000009
【図８】
2006187480.tif 000010